(57)【要約】      （修正有）【課題】上下のケース間の保持が安定する金属シェルを有するケーブル用コネクタを提供する。【解決手段】基部と前記基部から延出する嵌合部とを有する絶縁本体１と、前記絶縁本体に保持される複数の導電端子２と、前記導電端子に接続するケーブル５と、前記絶縁本体の外部を包囲するための金属板で製造されたシェル４と、を含みケーブル用コネクタを形成する。また、シェル４は、互いに組み立てられた第一カバーと第二カバーとを含み、第一カバーと第二カバーとは、相手コネクタの挿入方向にそって組み立てられ、前記第一カバーの後端が前記第二カバーに完全に包囲され、ケースの間の保持が安定した構造となる。【選択図】図２
0003175505.tif 000002
【実用新案登録請求の範囲】
【請求項１】
基部と前記基部から延出する嵌合部とを有する絶縁本体と、
前記絶縁本体に保持される複数の導電端子と、
前記導電端子に接続するケーブルと、
前記絶縁本体の外部を包囲するための金属板で製造されたシェルと、
を含むケーブル用コネクタにおいて、
前記シェルは、互いに組み立てられた第一カバーと第二カバーとを含み、
前記第一カバーと前記第二カバーとは、相手コネクタの挿入方向にそって組み立てられ、前記第一カバーの後端が前記第二カバーに完全に包囲されることを特徴とするケーブル用コネクタ。
【請求項２】
前記第一カバーは、底板と前記底板の両側から折れ曲がって延出する左右側板とを含み、前記左右側板の側縁からそれぞれ折れ曲がって前記底板に対向する係合部が形成され、
前記絶縁本体の前記基部と前記嵌合部とには、金属板が貼り付けられるように保持され、
前記係合部が前記金属板に半田付けされることを特徴とする請求項１に記載のケーブル用コネクタ。
【請求項３】
前記ケーブル用コネクタは、前記導電端子と前記ケーブルとに接続する基板を有して、
前記第一カバーの左右側板に切欠部がそれぞれ形成され、前記基板には、前記第一カバーの前記切欠部に保持される突出部が形成されることを特徴とする請求項２に記載のケーブル用コネクタ。
【請求項４】
前記第一カバーの前記左右側板には、前記切欠部の上下縁での第一弾性片と第二弾性片とが形成され、前記第一弾性片と前記第二弾性片とは、前記基板の上下壁の表面を挟んでいることを特徴とする請求項３に記載のケーブル用コネクタ。
【請求項５】
前記第一カバーを包囲する前記第二カバーには、前記絶縁本体での前記金属板に半田付けされた突出片が設けられることを特徴とする請求項２から４のいずれか一項に記載のケーブル用コネクタ。
【考案の詳細な説明】
【技術分野】
【０００１】
本考案は、ケーブル用コネクタに関して、特に、金属板で製造されたシェルを備えるケーブル用コネクタに関する。
【背景技術】
【０００２】
従来技術のケーブル用コネクタは、特許文献１に示すように、絶縁本体と、絶縁本体に保持された複数の導電端子と、導電端子に接続するケーブルと、絶縁本体を包囲するように保持される金属板で製造されたシェルと、を含む。前記シェルは、互いに係合した上部カバーと下部カバーとを備える。
【先行技術文献】
【特許文献】
【０００３】
【特許文献１】中国登録実用新案第２７１１９４９号明細書
【考案の概要】
【考案が解決しようとする課題】
【０００４】
前記金属シェルは、前記上部カバーと下部カバーとにそれぞれ設けられた係合孔及び係合用弾性片により、絶縁本体を包囲するように保持される。しかしながら、前記金属シェルは、上部カバーと下部カバーとの側部に形成された係合孔及び係合用弾性片だけにより組み立てられたので、結合が不安定になる恐れがあった。
【０００５】
本考案は、安定して保持され、新規の金属シェルを有するケーブル用コネクタを提供することを目的とする。
【課題を解決するための手段】
【０００６】
本考案は、基部と前記基部から延出する嵌合部とを有する絶縁本体と、
前記絶縁本体に保持される複数の導電端子と、
前記導電端子に接続するケーブルと、
前記絶縁本体の外部を包囲するための金属板で製造されたシェルと
を含むケーブル用コネクタにおいて、
前記シェルは、互いに組み立てられた第一カバーと第二カバーとを含み、
前記第一カバーと第二カバーとは、相手コネクタの挿入方向にそって組み立てられ、前記第一カバーの後端が前記第二カバーに完全に包囲されることを特徴とする。
【考案の効果】
【０００７】
従来技術に比べ、本考案のケーブル用コネクタは、前記シェルの第一カバーと第二カバーとは、相手コネクタの挿入方向にそって組み立てられ、前記第一カバーの後端が前記第二カバーに完全に包囲されることにより、前記第一カバーと第二カバーとが安定して保持されるという利点を有する。
【図面の簡単な説明】
【０００８】
【図１】本考案に係るケーブル用コネクタの分解斜視図である。
【図２】図１に示すケーブル用コネクタのほかの角度から見た分解斜視図である。
【図３】本考案に係るケーブル用コネクタの金属シェルの組立斜視図である。
【図４】本考案に係るケーブル用コネクタの部分の組立斜視図である。
【図５】本考案に係るケーブル用コネクタの組立斜視図である。
【考案を実施するための形態】
【０００９】
以下、図１〜図５を参照して、本考案のケーブル用コネクタ１００の実施形態について説明する。ケーブル用コネクタ１００は、絶縁本体１と、絶縁本体１に保持される導電端子２と、導電端子２に接続する基板３と、絶縁本体１を包囲する金属板で製造されるシェル４と、基板３に接続するケーブル５と、シェル４の外部を包囲する絶縁材料で成形された外部ケース６と、を含む。
【００１０】
絶縁本体１は、基部１０と、基部１０から前向きに延出する嵌合部１１と、絶縁本体１の先端面から貫通するように形成された収容空間１２と、を含み、前記基部１０と嵌合部１１とには、前記収容空間１２に連通して、収容空間１２での一側に形成された上部端子溝１２０と、下部端子溝１２１と、が設けられる。また、絶縁本体１の外周には、金属板１３が貼り付けられるように保持される。
【００１１】
前記導電端子２は、上部端子溝１２０に収容する第一端子２０と、前記下部端子溝１２１に収容する第二端子２１と、を含み、前記第一端子２０と第二端子２１とには、絶縁本体１の後端から突出する半田部がそれぞれ設けられる。
【００１２】
基板３は、絶縁本体１の後端で、第一端子２０の半田部と第二端子２１の半田部とに挟まれ、基板３の上壁の一端には、第一端子２０の半田部に接続する第一パッド３０が設けられ、基板３の下壁には、第二端子２１の半田部に接続するための第二パッド３１が設けられる。また、基板３の上壁の他端には、第三パッド３２が形成される。前記基板３の両側には、突部３３が突出するように形成される。
【００１３】
シェル４は、互いに係合する第一カバー４０と第二カバー４１とを含み、第一カバー４０は、底板４００と、底板４００の両側から折れ曲がって延出する左右側板４０１と、左右側板４０１からそれぞれ折れ曲がって前記底板４００に対向する係合部４０２と、を含む。各係合部４０２には、開口４０２０がそれぞれ形成される。左右側板４０１の側縁には曲折弾性片４０３がそれぞれ形成され、底板４００の長さ方向において、該曲折弾性片４０３の長さが係合部４０２の長さより短く、左右側板４０１に外向きに突出するロック部４０１０が設けられる。底板４００の後端には、延出片４０４が突出するように形成される。左右側板４０１の後端縁に切欠部４０１１が形成され、該切欠部４０１１の上縁から第一弾性片４０１２が延出され、該切欠部４０１１の下縁から第二弾性片４０１３が延出され、前記第一弾性片４０１２の長さが第二弾性片４０１３の長さより長くなる。
【００１４】
前記第二カバー４１は、底壁４１０と、底壁４１０に対向する頂壁４１１と、底壁４１０と頂壁４１１とを連接する側壁４１２と、を含む。側壁４１２には第一カバー４０のロック部４０１０に係合する係止孔４１２０が設けられ、頂壁４１１の後端にはケーブル５を保持するための環状の保持部４１１０が形成され、頂壁４１１の前端の中央部では突出片４１１１が前向きに延出される。
【００１５】
ケーブル５は、基板３に接続する芯線（参照記号なし）と、保持部材５２と、を含む。前記外部ケース６はシェル４の外部を覆うために、互いに係合する下部ケース６０と上部ケース６１とを含み、下部ケース６０の後端には、上向きに延出する当接板６００と当接板６００の後方の位置決め柱６０１とが形成される。下部ケース６０の末端には、第一弧状部６０２が窪んで形成される。上部ケース６１には、前記位置決め柱６０１に係合する位置決め孔６１０と、前記第一弧状部６０２に対応するための第二弧状部６１２と、が形成される。
【００１６】
組み立てる時に、ケーブル用コネクタ１００は、第一端子２０と第二端子２１とは絶縁本体１に保持されると共に、その先端が収容空間１２に露出され、その後端が絶縁本体１から突出している。第一カバー４０が絶縁本体１を包囲し、第一カバー４０の係合部４０２が絶縁本体１の金属板１３に半田付けされる。ケーブル５の芯線が基板３の第三パッド３２に接続し、ケーブル５及び基板３の組立体は第一カバー４０に設置し、基板３の突部３３は切欠部４０１１に係合されると共に、前記第一弾性片４０１２と第二弾性片４０１３とが基板３の上下壁の表面を挟んでいる。次に、相手コネクタの挿入方向即ち前後方向において、第二カバー４１と第一カバー４０とが組み立てられ、突出片４１１１が金属板１３に半田付けされ、ケーブル５の保持部材５２が第一カバー４０の後端の表面に貼り付けられる。位置決め柱６０１が位置決め孔６１０に係合することにより、上部ケース６１と下部ケース６０とが保持され、ケーブル５が第一弧状部６０２と第二弧状部６１２とを貫通している。組み立てた時に、前記第一カバー４０の後端が前記第二カバー４１に完全に包囲される。
【００１７】
以上、本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００１８】
１００  ケーブル用コネクタ
１  絶縁本体
１０  基部
１１  嵌合部
１２  収容空間
１３  金属板
２  導電端子
３  基板
４  シェル
４０  第一カバー
４１  第二カバー
５  ケーブル
６  外部ケース
６０  下部ケース
６１  上部ケース
【図１】
0003175505.tif 000003
【図２】
0003175505.tif 000004
【図３】
0003175505.tif 000005
【図４】
0003175505.tif 000006
【図５】
0003175505.tif 000007